(57)【要約】【課題】遊戯者が参加することで違った動きを開始する水遊び玩具を提供する。【解決手段】水遊び玩具１００は、貯留した水を汲み上げて放水する水遊び玩具１００であって、貯留した水を汲み上げるための電動ポンプが内部に配設されており、玩具本体１０の下方に前記水を汲み上げるポンプユニットを備える。さらに、前記電動ポンプおよび電源と電気的に接続されており、前記電動ポンプに供給される電流を制御してこれを作動／停止させる電源スイッチ４０と、玩具本体１０に直接設けられるか、または玩具本体１０と連結することにより貯留した水を放水可能とする複数の放水手段と、を備える。前記放水手段が前記ポンプユニットによって汲み上げられた水を前記放水手段から放水し、前記複数箇所の放水手段に至る水路を切り変える流路切替手段とを備える。【選択図】図１
2014223556.tif 000002
【特許請求の範囲】
【請求項１】
貯留した水を汲み上げて放水する水遊び玩具であって、
貯留した水を汲み上げるための電動ポンプが内部に配設されており、玩具本体の下方に前記水を汲み上げるポンプユニットと、
前記電動ポンプおよび電源と電気的に接続されており、前記電動ポンプに供給される電流を制御してこれを作動／停止させる電源スイッチと、
前記玩具本体に直接設けられるか、または前記玩具本体と連結することにより貯留した水を放水可能とする複数の放水手段と、を備え、
前記放水手段が前記ポンプユニットによって汲み上げられた水を前記放水手段から放水し、前記複数箇所の放水手段に至る水路を切り変える流路切替手段とを備えることを特徴とする水遊び玩具。
【請求項２】
前記玩具本体は、水車を有し、
前記放水手段は、第一放水手段と第二放水手段とされて、
前記第一放水手段は前記玩具本体の上方の孔部を有し、
前記第二放水手段は前記玩具本体の前方の口部を有し、当該口部から放水させて前記水車を回転させることを特徴とする請求項１に記載の水遊び玩具。
【請求項３】
前記流路切替手段により切り変えられて放水する前記第一放水手段の前記孔部を連結手段とし、当該孔部に着脱自在とする複数の形象体を有することを特徴とする請求項２に記載の水遊び玩具。
【請求項４】
前記複数の形象体として、前記第一放水手段の前記孔部に嵌合することにより、前記第一放水手段への放水に合せて複数箇所から放水させる第一形象体を備えることを特徴とする請求項３に記載の水遊び玩具。
【請求項５】
前記複数の形象体として、前記第一放水手段の前記孔部に嵌合することにより、前記第一放水手段への放水に合せて前記形象体が回転する第二形象体を備えることを特徴とする請求項３又は請求項４に記載の水遊び玩具。
【請求項６】
前記第二形象体が前記第一形象体に連結可能なことを特徴とする請求項５に記載の水遊び玩具。
【請求項７】
前記複数の形象体として、前記第一放水手段の前記孔部に嵌合することにより、前記第一放水手段への放水に合せて球体収納部から球体を浮上させ、前記放水により前記球体を浮かせた状態を保持させる第三形象体を備えることを特徴とする請求項３乃至請求項６の何れかに記載の水遊び玩具。
【請求項８】
前記玩具本体の上面には、前記複数の形象体を配置可能な配置孔部を有することを特徴とする請求項３乃至請求項７の何れかに記載の水遊び玩具。
【発明の詳細な説明】
【技術分野】
【０００１】
本発明は、水を利用して遊ぶ水遊び玩具に関する。
【背景技術】
【０００２】
従来、子供が風呂場やプールなどで遊ぶための玩具が多々発売されている。例えば、水に浮かぶ人形やモータで水上を動く玩具などはその最たるものである。近年では子供玩具の技術も進み、飽きが早く、成長も早い幼児が長い期間遊べるものが多々開発されている。その中で蛇口の水流を利用した玩具や、水を吸い上げるモータを利用した玩具等が増えてきている。例えば、実用新案登録第３０３９３７７号公報（特許文献１）では、底部にコックを備えた水タンクがあり、当該タンクに水を入れ、コックから水を水車に出すことによって水車を回転させ、水車の回転により複数の作動部が揺動運動する技術が提案されている。
【先行技術文献】
【特許文献】
【０００３】
【特許文献１】実用新案登録第３０３９３７７号公報
【発明の概要】
【発明が解決しようとする課題】
【０００４】
しかしながら、特許文献１に示す水遊び用の玩具は動きが単調であり、予め何らかの設定や準備をすれば自動的に動くものが多く、遊戯者が自ら参加できる水遊び玩具ではなかった。
【０００５】
本発明は、上述したような従来技術の問題点に鑑みてなされたものであり、遊戯者が参加することで違った動きを開始する水遊び玩具を提供することを目的としている。
【課題を解決するための手段】
【０００６】
本発明の水遊び玩具は、貯留した水を汲み上げて放水する水遊び玩具であって、貯留した水を汲み上げるための電動ポンプが内部に配設されており、玩具本体の下方に前記水を汲み上げるポンプユニットと、前記電動ポンプおよび電源と電気的に接続し、前記電動ポンプに供給される電流を制御して前記電動ポンプを作動／停止させる電源スイッチと、前記玩具本体に直接設けられるか、または前記玩具本体と連結することにより貯留した水を放水可能とする複数の放水手段と、を備え、前記放水手段が前記ポンプユニットによって汲み上げられた水を前記放水手段から放水し、前記複数箇所の放水手段に至る水路を切り変える流路切替手段とを備えることを特徴とする。
【０００７】
さらに、本発明の水遊び玩具は、前記玩具本体は、水車を有し、前記放水手段は、第一放水手段と第二放水手段とされて、前記第一放水手段は前記玩具本体の上方の孔部を有し、前記第二放水手段は前記玩具本体の前方の口部を有し、当該口部から放水させて前記水車を回転させることを特徴とする。
【０００８】
また、本発明の水遊び玩具は、前記流路切替手段により切り変えられて放水する前記第一放水手段の前記孔部を連結手段とし、当該孔部に着脱自在とする複数の形象体を有することを特徴とする。
【０００９】
そして、本発明の水遊び玩具は、前記複数の形象体として、前記第一放水手段の前記孔部に嵌合することにより、前記第一放水手段への放水に合せて複数箇所から放水させる第一形象体を備えることを特徴とする。
【００１０】
さらに、本発明の水遊び玩具は、前記複数の形象体として、前記第一放水手段の前記孔部に嵌合することにより、前記第一放水手段への放水に合せて前記形象体が回転する第二形象体を備えることを特徴とする。
【００１１】
また、本発明の水遊び玩具は、前記第二形象体が前記第一形象体に連結可能なことを特徴とする。
【００１２】
そして、本発明の水遊び玩具は、前記複数の形象体として、前記第一放水手段の前記孔部に嵌合することにより、前記第一放水手段への放水に合せて球体収納部から球体を浮上させ、前記放水により前記球体を浮かせた状態を保持させる第三形象体を備えることを特徴とする。
【００１３】
さらに、本発明の水遊び玩具は、前記玩具本体の上面には、前記複数の形象体を配置可能な配置孔部を有することを特徴とする。
【発明の効果】
【００１４】
本発明によれば、遊戯者が参加することで違った動きを開始する玩具を提供することができる。
【００１５】
さらに、本発明によれば、汲み上げられた水を放水する複数の箇所を有し、複数箇所の放水手段に至る水路を切り変える流路切替手段とを備えることにより、多様な噴水アクションが可能となって、遊戯者を飽きさせることがなく長きに亘って使用させることができる。
【００１６】
そして、本発明によれば、遊戯者は、口部から放水させることにより水車の回転動作を鑑賞して楽しむことができる。
【００１７】
また、本発明によれば、放水手段の孔部を連結手段とし、孔部に着脱自在とする複数の形象体を有することから、これらの内から使用するものを選択可能とすることにより、色々な遊び方をすることができる水遊び玩具を提供することができる。
【００１８】
そして、本発明によれば、複数箇所から放水させる第一形象体を備えることにより、キャラクターに対する関心と合せて、異なる噴水アクションが可能となる。
【００１９】
さらに、本発明によれば、放水手段への放水に合せて形象体が回転する第二形象体を備えることにより、遊戯者を飽きさせることがなく長きに亘って使用させることができる。
【００２０】
また、本発明によれば、第二形象体が第一形象体に連結可能なことにより、噴水アクションと回転アクションを同時に実施させて、遊戯者に興味を抱かせることができる。
【００２１】
そして、本発明によれば、放水手段への放水に合せて球体収納部から球体を浮上させ、放水により球体を浮かせた状態を保持させる第三形象体を備えることにより、空中に浮かぶ球体に対して関心を抱かせることができる。
【００２２】
さらに、本発明によれば、玩具本体の上面に複数の形象体を配置可能な配置孔部を有することから、付属部品である形象体を自由に交換して取り付けることを容易とするとともに、形象体の紛失を防止することができる。
【図面の簡単な説明】
【００２３】
【図１】本発明の実施例に係る水遊び玩具の外観斜視図である。
【図２】本発明の実施例に係る水遊び玩具の上部筐体を外した内部斜視図である。
【図３】本発明の実施例に係る水遊び玩具の第一形象体の外観斜視図である。
【図４】本発明の実施例に係る水遊び玩具の第一形象体の分解斜視図である。
【図５】本発明の実施例に係る水遊び玩具の第二形象体の外観斜視図である。
【図６】本発明の実施例に係る水遊び玩具の第二形象体の３分割の分解斜視図である。
【図７】本発明の実施例に係る水遊び玩具の第二形象体を下方から見た５分割の分解斜視図である。
【図８】本発明の実施例に係る水遊び玩具の第三形象体の外観斜視図である。
【図９】本発明の第一形象体を本体形象体の上に載せた水遊び玩具の外観斜視図である。
【図１０】本発明の第二形象体を本体形象体の上に載せた水遊び玩具の外観斜視図である。
【図１１】本発明の第二形象体を第一形象体の上に載せた水遊び玩具の外観斜視図である。
【図１２】本発明の第三形象体を本体形象体の上に載せた水遊び玩具の外観斜視図である。
【発明を実施するための形態】
【００２４】
以下、本発明を実施するための形態について述べる。本発明の水遊び玩具100は、貯留した水を汲み上げて放水する水遊び玩具100であって、貯留した水を汲み上げるための電動ポンプ31が内部に配設されている。そして、水遊び玩具100は、玩具本体10の下方に水を汲み上げるポンプユニット30を備える。そして、水遊び玩具100は、玩具本体10に直接設けられるか、または玩具本体10と連結することにより貯留した水を放水可能とする放水手段と、を備える。さらに、水遊び玩具100は、玩具本体10の放水手段としてポンプユニット30によって汲み上げられた水を放水する複数の箇所を有し、複数箇所の放水手段に至る水路を切り変える流路切替手段である流路切替スイッチ41を備える。
【００２５】
さらに、水遊び玩具100において、玩具本体10は、水車27を有し、放水手段は、第一放水手段と第二放水手段とされて、第一放水手段は玩具本体10の上方の孔部28を有し、第二放水手段は玩具本体10の前方の口部である本体形象体口部21を有し、本体形象体口部21から放水させて水車27を回転させるものである。
【００２６】
そして、水遊び玩具100は、流路切替スイッチ41により切り変えられて放水する第一放水手段の孔部28を連結手段とし、この孔部28に着脱自在とする複数の形象体を有する。
【００２７】
そして、水遊び玩具100は、複数の形象体には、第一放水手段の孔部28に嵌合することにより、一方の放水手段への放水に合せて複数箇所に放水させる第一形象体50を備える。
【００２８】
また、水遊び玩具100は、複数の形象体には、第一放水手段の孔部28に嵌合することにより、一方の放水手段への放水に合せて形象体が回転する第二形象体60を備える。
【００２９】
そして、水遊び玩具100は、第二形象体60が第一形象体50に連結可能である。
【００３０】
さらに、水遊び玩具100は、複数の形象体には、第一放水手段の孔部28に嵌合することにより、一方の放水手段への放水に合せて球体収納部である籠部71から球体75を浮上させ、放水により球体75を浮かせた状態を保持させる第三形象体70を備える。
【００３１】
また、玩具本体10の上面には、複数の形象体を配置可能な配置孔部11,12,13を有する。
【実施例】
【００３２】
以下、図面を参照して本発明に係る実施例を詳細に説明する。図１は、本実施例に係る水遊び玩具100の外観斜視図である。図２は、水遊び玩具100の上部筐体15を外した内部斜視図である。なお、水遊び玩具100は図１に示す中央に位置する鯨を模した本体形象体20の正視方向を前方として、鯨の尾の側を後方とする。また、水遊び玩具100は鯨の鼻孔を上方とし、貯水槽に浸水させる側を下方とする。そして、水遊び玩具100は本体形象体20の正視方向に対して、左右方向を夫々に右方向、左方向とする。
【００３３】
本実施例に係る玩具は風呂場等の貯水槽に設置して使用される水遊び玩具100であって、電動ポンプ31によって揚水した貯水槽の水を玩具本体10に設けた複数の放水手段から放水することを特徴としている。
【００３４】
水遊び玩具100は、玩具本体10と取り付け可能な複数の形象体とから構成される。玩具本体10は、図１に示すように立方体の四方に半球状で内部に発砲スチロール等の浮遊部材を設置したフロート部17を形成し、そのフロート部17の上面に形象体の載置部や電動ポンプ31を作動させる半球状の電源スイッチ40を形成している。また、電源スイッチ40は、図２に示すように筐体内部に電源スイッチ本体43を有する。
【００３５】
また、玩具本体10は、上面中央に鯨を模した本体形象体20を配置している。そして、玩具本体10には、本体形象体20の本体形象体口部21の前方に水車27が配置されている。
【００３６】
さらに、玩具本体10は、本体形象体20の後方に水の噴射口を切り変えるレバー式の流路切替スイッチ41と、を有する。そして、玩具本体10の四方に位置する半球状のフロート部17とフロート部17との間には、入水部であるスリット状の入水孔14が形成されている。
【００３７】
本体形象体20は、玩具本体10の上面略中央に配置されており、模した鯨の頭頂部に位置する鼻孔をイメージさせる第一放水部の孔部28から水を噴射させる。また、本体形象体20は、鯨の口部である本体形象体口部21から水を噴射させる第二放水部を有する。そして、第二放水部からの放水により、本体形象体口部21の前方に位置する水車27を回転させる。
【００３８】
また、水遊び玩具100は、着脱可能な形象体として、第一形象体50、第二形象体60、及び第三形象体70を有する。
【００３９】
そして、玩具本体10の各フロート部17の上面には、図２の上部筐体15に示すように第一形象体50、第二形象体60、及び第三形象体70を配置可能な配置孔部11,12,13を有し、夫々の形象体を図１に示したように玩具本体10上に配置させることができる。
【００４０】
そして、第一形象体50、第二形象体60、及び第三形象体70は、本体形象体20の第一放水部の孔部28に着脱可能とするものである。
【００４１】
また、水遊び玩具100は、図２に示したように、下部筐体16内部に略中央に電池ボックス80を配置している。内蔵される電池は、玩具本体10の底部に設けた電池蓋を開けることにより、単二電池２本を装填可能とされている。そして、電池蓋と玩具本体10との連結部はゴムパッキン等により密閉されている。
【００４２】
水遊び玩具100は、電池ボックス80近傍に水を汲み上げるポンプユニット30を配置している。ポンプユニット30は、各入水孔14から玩具本体内部に入水貯水されて放水手段から噴出させるための水を汲みあげるものであり、このポンプユニット30の入口となるポンプ入水部38と、ポンプ入水部38近傍に配置させる浄水用のフィルタ33と、フィルタ33の後方に配設される電動ポンプ31と、電動ポンプ31を介して汲みあげた水を上方に位置する後述の流路切替機構へと導く揚水路34と、を備える。
【００４３】
電動ポンプ31は、樹脂製のポンプケースの内部にポンプスクリュー、ポンプスクリューを回転駆動するモータ32、及び、モータ32を格納するモータ室等により構成されている。そして、モータ32が収納されるモータ室は、水遊び玩具100内部に貯水された水が浸水することのないように部材連結部にゴムパッキンを設けて密閉されており、電動ポンプ31は、電池ボックス80、及び、電源スイッチ40の端子を密閉されたケース内部で配線することによって、モータ32に電力を供給している。
【００４４】
流路切替機構は、流路切替スイッチ41のレバーに連動して作動するものであって、揚水路34により汲みあげられた水を第一放水部又は第二放水部へと流路を切り変える機構である。
【００４５】
具体的には、上方へと水を汲みあげるパイプからなる固定された揚水路34には、そのパイプの先に流路切替スイッチ41と一体とされて、レバーの操作により所定角度だけ回動する硬質樹脂製の板材と孔部28である第一放水部へと連絡するための第一パイプ35及び本体形象体口部21である第二放水部へと連絡するための第二パイプ36が配置された流路切替部材37が水平方向に所定角度だけ回動可能なように配置されている。
【００４６】
第一パイプ35は、孔部28である第一放水部へと連絡するために下方の揚水路34から導かれる水をそのまま上方へと導く中空円柱形状のパイプであって、流路切替スイッチ41により左方にスライドされて、流路切替部材37の回動動作により、揚水路34と第一パイプ35による水路が上下方向で同軸とされて水を上方に導く。
【００４７】
そして、第二パイプ36は、本体形象体口部21である第二放水部へと連絡するために下方の揚水路34から導かれる水をそのまま９０度変換するために上面を閉止して所定の側面に円形の開口39を有した中空円柱形状のパイプであって、流路切替スイッチ41により右方にスライドされて、流路切替部材37の回動動作により、揚水路34の方向を第二パイプ36による水路で９０度変換させて前方方向に位置する第二放水部へと水を導くパイプ42に水を送出させる。
【００４８】
次に、水遊び玩具100において、玩具本体10に着脱可能なように設置させる各形象体について図を用いて説明する。図３は、水遊び玩具100の第一形象体50の外観斜視図である。図４は、水遊び玩具100の第一形象体50の分解斜視図である。図５は、水遊び玩具100の第二形象体60の外観斜視図である。図６は、水遊び玩具100の第二形象体60の３分割の分解斜視図である。図７は、水遊び玩具100の第二形象体60の下方から見た５分割の分解斜視図である。図８は、水遊び玩具100の第三形象体70の外観斜視図である。なお、第一形象体50及び第二形象体60は顔の向く方向を前方とし、頭のある方を上方向とし、胴体のある方を下方向とし、形象体が前方を向いた状態の左右方向を夫々の方向とする。なお、図３、図５等では形象体の顔面において模式的に鼻のみを表現している。
【００４９】
第一形象体50は、玩具本体10の第一放水部の孔部28に取り付ける図４に示す着脱用パイプ58aを有して、第一放水部に接続可能とされている。そして、第一形象体50は、水の噴射口が第一放水部となるように流路切替スイッチ41を切り変えておき、水を噴射させる電源スイッチ40を押下することにより、第一形象体50において形成された複数の噴射口から、複数箇所に放水させることができる。
【００５０】
そして、第一形象体50は、図３に示すように、硬質樹脂製で顔と両手を浮き輪から出した人を模したものであって、頭頂部に頭部放水部51と、右手の上方先端に右手放水部52と、左手の上方先端に左手放水部53とを備える。
【００５１】
そして、第一形象体50は、図４に示したように、正面の中空半球状の顔部54と背面の中空半球状の後頭部55とを嵌合することにより頭部を形成し、首から下の部分を上方の円板状の胴部56と下方の円板状の台座部58とを嵌合することにより胴体を形成し、その胴体に入水した水を三方に分散させる分水路を内胴部材等を用いて形成している。
【００５２】
そして、台座部58の下方中央に位置する円柱状の管である着脱用パイプ58aにより、玩具本体10の第一放水部の孔部28から噴射された水が入水され、胴体の中央に位置する円形の穴を通って入水した水が胴体内部の内胴部材である分水路下蓋52a、53aの上方に流れ込む。
【００５３】
この分水路下蓋52a、53aに流れ込んだ水がさらに上昇して、胴部56の分水路上蓋52b、53bと分水路下蓋52a、53aとで形成された分水路により三方に分かれた水路を通って、頭頂部の頭部放水部51、右手の上方先端の右手放水部52、及び左手の上方先端の左手放水部53から放水されることとなる。
【００５４】
第二形象体60は、玩具本体10の第一放水部の孔部28に取り付ける図７に示す着脱用パイプ68を有し、第一放水部に接続可能とされている。そして、第二形象体60は、水の噴射口が第一放水部となるように流路切替スイッチ41を切り変えておき、水を噴射させる電源スイッチ40を押下することにより、第二形象体60において形成された複数の噴射口から、複数箇所に放水させるとともに、形象体自体を回転させることができる。
【００５５】
第二形象体60は、図５に示すように、硬質樹脂製で顔と両手を浮き輪から出した人を模したものであって、浮き輪の下方に回転しながら水を円周の接線方向に発射する発射口61,62を対称に配置している。
【００５６】
そして、第二形象体60は、図６に示すように、顔部63aと後頭部63bとを嵌合させてなる頭部、両腕及び円板部63cからなる上半身を示す上半身部63と、第二形象体60中央に対して対称に配置されて夫々に反時計方向に水を放水する発射口61,62を有する水路と回転部64a、及び、回転ケース部64bからなる発射部64と回転する上半身部63と発射部64とを回転可能なように支持する内台座部65a及び外台座部65bからなる台座部65と、を備える。
【００５７】
第二形象体60は、図７に示したように、上方から上半身を示す上半身部63の内部に中心軸に対して対称な位置で下方に延設された２つ円柱突起部91,92を有する。円柱突起部91,92は、回転部64aと回転ケース部64bとからなる発射部64の回転部64aの中央の円柱部の周縁で扇型に切りかかれた２つの切り欠き係合部93,94と係合される。
【００５８】
そして、回転部64aは、水を噴射させるアーム部である２つの噴水管部95,96を備える。噴水管部95,96は、回転ケース部64bの周縁に位置する噴水管係合部97,98と係合されて一体とされて回転することとなる。
【００５９】
また、回転ケース部64bは、下方中央に円柱形状の円柱回転軸99を備える。そして、円柱回転軸99は、内台座部65aと外台座部65bとからなる台座部65の内台座部65aの中央に位置する回転軸受99aに回転可能なように支持されるものである。
【００６０】
第三形象体70は、玩具本体10の第一放水部の孔部28に取り付ける図８に示す着脱用パイプ78を有し、第一放水部に接続可能とされている。そして、第三形象体70は、水の噴射口が第一放水部となるように流路切替スイッチ41を切り変えておき、水を噴射させる電源スイッチ40を押下することにより、第三形象体70の球体収納部である籠部中央の噴水口77から放水させて球体75を浮遊させた状態を保持することができる。
【００６１】
つまり、第三形象体70は、図８に示すように、籠部71と、噴水実行前には籠部71内に配置される球体75と、を備え、噴水口77からの噴水により球体75を浮遊させるものである。
【００６２】
次に、各形象体を玩具本体10の第一放水部に取り付けたときの動作について図を用いて説明する。図９は第一形象体50を本体形象体20の上に載せた水遊び玩具100の外観斜視図である。図１０は第二形象体60を本体形象体20の上に載せた水遊び玩具100の外観斜視図である。図１１は第二形象体60を第一形象体50の上に載せた水遊び玩具100の外観斜視図である。図１２は第三形象体70を本体形象体20の上に載せた水遊び玩具100の外観斜視図である。
【００６３】
水遊び玩具100は、玩具本体10の配置孔部11に配置可能な第一形象体50の着脱用パイプ58aを鯨を模した本体形象体20の鼻孔部分に相当する第一放水部の孔部28に取り付けることにより、図９に示すような鯨の上に人形が載置された状態とすることができる。
【００６４】
そして、この状態において水遊び玩具100は、水の噴射口を第一放水部となるように流路切替スイッチ41を切り変えて水を噴射させる電源スイッチ40を押下することにより、第一形象体50において形成された頭部放水部51、右手放水部52及び左手放水部53の三箇所から放水させることとなる。
【００６５】
また、水遊び玩具100は、玩具本体10の配置孔部12に配置可能な第二形象体60の着脱用パイプ68を鯨を模した本体形象体20の鼻孔部分に相当する第一放水部の孔部28に取り付けることにより、図１０に示すような鯨の上に人形が載置された状態とすることができる。
【００６６】
そして、この状態において水遊び玩具100は、水の噴射口が第一放水部となるように流路切替スイッチ41を切り変えて水を噴射させる電源スイッチ40を押下することにより、第二形象体60において形成された発射口62,63から放水させるとともに、形象体自体を回転させることとなる。つまり、玩具本体10の第一放水部から発射された水を第二形象体60の下方の玩具本体10との取り付け部分である台座部65の着脱用パイプ68から入水させて、第二形象体60内部の水路を介して所定の箇所から放水させながら、第二形象体60自体が時計回りに回転する。
【００６７】
さらに、水遊び玩具100は、本体形象体20の第一放水部の孔部28に第一形象体50を取り付けた状態で、さらに第一形象体50の頭部放水部51に第二形象体60の着脱用パイプ68を取り付けることにより、図１１に示すような鯨の上に人形を２段重ねで載置された状態とすることができる。
【００６８】
そして、この状態において水遊び玩具100は、水の噴射口が第一放水部となるように流路切替スイッチ41を切り変えて水を噴射させる電源スイッチ40を押下することにより、第一形象体50において形成された右手放水部52及び左手放水部53の二箇所から放水させながら、第二形象体60の発射口62,63からも放水させ、形象体自体を回転させることとなる。つまり、玩具本体10の第一放水部から発射された水を第一形象体50の右手放水部52及び左手放水部53の二箇所から放水させ、頭部放水部51から放水されるべき水を第二形象体60の台座部65の着脱用パイプ68から入水させて、第二形象体60内部の水路を介して所定の箇所から放水させながら、第二形象体60自体が時計回りに回転することとなる。
【００６９】
また、水遊び玩具100は、玩具本体10の配置孔部13に配置可能な第三形象体70を鯨を模した本体形象体20の鼻孔部分に相当する第一放水部の孔部28に取り付けることにより、鯨の上に籠と球体とが載置された状態とすることができる。
【００７０】
そして、この状態において水遊び玩具100は、水の噴射口が第一放水部となるように流路切替スイッチ41を切り変えて水を噴射させる電源スイッチ40を押下することにより、図１２に示すように第三形象体70の籠部71内部に載置された球体75を噴水口77からの噴水により浮遊させることとなる。
【００７１】
なお、第三形象体70は、鯨を模した本体形象体20の鼻孔部分に相当する第一放水部の孔部28に取り付けられることに限定されず、第二形象体60同様に第一放水部の孔部28に第一形象体50を取り付けた状態で、さらに第一形象体50の頭部放水部51に第三形象体70を取り付けられるようにされている。
【００７２】
以上のように本発明によれば、遊戯者が参加することで違った動きを開始する水遊び玩具100を提供することができる。
【００７３】
さらに、本発明によれば、汲み上げられた水を放水する複数の箇所を有し、複数箇所の放水手段に至る水路を切り変える流路切替手段とを備えることにより、多様な噴水アクションが可能となって、遊戯者を飽きさせることがなく長きに亘って使用させることができる。
【００７４】
そして、本発明によれば、遊戯者は、口部から放水させることにより水車27の回転動作を鑑賞して楽しむことができる。
【００７５】
また、本発明によれば、放水手段を連結手段とし、連結手段に着脱自在とする複数の形象体を有することから、これらの内から使用するものを選択可能とすることにより、色々な遊び方をすることができる水遊び玩具100を提供することができる。
【００７６】
そして、本発明によれば、複数箇所に放水させる第一形象体50を備えることにより、キャラクターに対する関心と合せて、異なる噴水アクションが可能となる。
【００７７】
さらに、本発明によれば、放水手段への放水に合せて形象体が回転する第二形象体60を備えることにより、遊戯者を飽きさせることがなく長きに亘って使用させることができる。
【００７８】
また、本発明によれば、第二形象体60が第一形象体50に連結可能なことにより、噴水アクションと回転アクションを同時に実施させて、遊戯者に興味を抱かせることができる。
【００７９】
そして、本発明によれば、放水手段への放水に合せて球体収納部から球体を浮上させ、放水により球体を浮かせた状態を保持させる第三形象体70を備えることにより、空中に浮かぶ球体に対して関心を抱かせることができる。
【００８０】
さらに、本発明によれば、玩具本体10の上面に複数の形象体を配置可能な配置孔部を有することから、付属部品である形象体を自由に交換して取り付けることを容易とするとともに、形象体の紛失を防止することができる。
【符号の説明】
【００８１】
１０  玩具本体              １１  配置孔部
１２  配置孔部              １３  配置孔部
１４  入水孔                １５  上部筐体
１６  下部筐体              １７  フロート部
２０  本体形象体            ２１  本体形象体口部
２７  水車
２８  孔部                  ３０  ポンプユニット
３１  電動ポンプ            ３２  モータ
３３  フィルタ
３４  揚水路                ３５  第一パイプ
３６  第二パイプ            ３７  流路切替部材
３８  ポンプ入水部          ３９  開口
４０  電源スイッチ          ４１  流路切替スイッチ
４２  パイプ                ４３  電源スイッチ本体
５０  第一形象体            ５１  頭部放水部
５２  右手放水部
５２ａ  分水路下蓋          ５２ｂ  分水路上蓋
５３  左手放水部
５３ａ  分水路下蓋          ５３ｂ  分水路上蓋
５４  顔部                  ５５  頭部
５６  胴部
５８  台座部                ５８ａ  着脱用パイプ
６０  第二形象体
６１  発射口                ６２  発射口
６３  上半身部              ６３ａ  顔部
６３ｂ  後頭部              ６３ｃ  円板部
６４  発射部
６４ａ  回転部              ６４ｂ  回転ケース部
６５  台座部
６５ａ  内台座部            ６５ｂ  外台座部
６８  着脱用パイプ
７０  第三形象体            ７１  籠部
７５  球体                  ７７  噴水口
７８  着脱用パイプ
８０  電池ボックス
９１，９２  円柱突起部      ９３，９４  切り欠き係合部
９５，９６  噴水管部        ９７，９８  噴水管係合部
９９  円柱回転軸            ９９ａ  回転軸受
１００  水遊び玩具
【図１】
2014223556.tif 000003
【図２】
2014223556.tif 000004
【図３】
2014223556.tif 000005
【図４】
2014223556.tif 000006
【図５】
2014223556.tif 000007
【図６】
2014223556.tif 000008
【図７】
2014223556.tif 000009
【図８】
2014223556.tif 000010
【図９】
2014223556.tif 000011
【図１０】
2014223556.tif 000012
【図１１】
2014223556.tif 000013
【図１２】
2014223556.tif 000014